(57)【要約】【課題】本発明は信号灯の切替え確認が確実に行うことができる信号灯切替装置及びこの信号灯切替装置を備えた信号機を提供することを目的とするものである。【解決手段】信号機本体２２と接続可能に構成されると共に、接続された信号機本体２２が有する赤色信号灯２１、あるいは青色信号灯２１Ａの状態を切替える信号灯切替え手段と、この信号灯切替え手段と接続された信号機本体２２の赤色信号灯２１、あるいは青色信号灯２１Ａの状態を発光して表示する信号灯状態表示手段とを備える。【選択図】図２
2013054484.tif 000002
【特許請求の範囲】
【請求項１】
信号機と接続可能に構成されると共に、接続された信号機が有する信号灯の状態を切替える信号灯切替え手段と、
該信号灯切替え手段と接続された信号機の信号灯の状態を発光して表示する信号灯状態表示手段とを備える
信号灯切替装置。
【請求項２】
前記信号灯切替え手段は、赤色用の信号灯若しくは青色用の信号灯のいずれか一方を選択的にＯＮの状態とすべく構成され、
前記信号灯状態表示手段は、前記信号灯切替え手段で選択してＯＮの状態とした信号灯と同一色を発光すべく構成された
請求項１に記載の信号灯切替装置。
【請求項３】
前記信号灯状態表示手段は、赤色に発光するＬＥＤ素子を有して構成される赤色発光部と、青色に発光するＬＥＤ素子を有して構成される青色発光部を備える
請求項１または請求項２に記載の信号灯切替装置。
【請求項４】
信号機本体と、
該信号機本体と接続可能に構成されると共に、接続された信号機本体が有する信号灯の状態を切替える信号灯切替え手段と、該信号灯切替え手段と接続された信号機本体の信号灯の状態を発光して表示する信号灯状態表示手段とを有する信号灯切替装置とを備える
信号機。
【請求項５】
前記信号灯切替え手段は、赤色用の信号灯若しくは青色用の信号灯のいずれか一方を選択的にＯＮの状態とすべく構成され、
前記信号灯状態表示手段は、前記信号灯切替え手段で選択してＯＮの状態とした信号灯と同一色を発光すべく構成された
請求項４に記載の信号機。
【請求項６】
前記信号灯状態表示手段は、赤色に発光するＬＥＤ素子を有して構成される赤色発光部と、青色に発光するＬＥＤ素子を有して構成される青色発光部を備える
請求項４または請求項５に記載の信号機。
【発明の詳細な説明】
【技術分野】
【０００１】
本発明は、信号灯切替装置及び信号機に関する。詳しくは、工事用信号機等の信号灯の信号切り替え操作を行う信号灯切替装置及びこの信号灯切替装置を備えた信号機に係るものである。
【背景技術】
【０００２】
従来、道路工事には工事用信号機が仮設置される。このような信号機として、例えば特許文献１に記載されたものが知られている。
具体的には、図４に示すように、その底面にキャスター１０１が取付けられた台座１０２上に立設された支柱１０３に信号部１０４が取付けられた構成とされている。
【０００３】
このような工事用信号機は、工事以外の時間では自動的に信号の切り替えが行われるものであるが、工事中にあっては交通誘導員が通行車両の誘導を行う際に、交通誘導員による信号切り替え操作が行われている。
【０００４】
ここで、交通誘導員は、一方の手に旗や点滅棒を持ち、他方の手にはトランシバーを持って交通誘導を行うために両手が塞がった状態となり、信号切り替え操作はフットスイッチが使用されている。
【０００５】
このフットスイッチは図５に示すように、スイッチ本体１１０の上面に信号灯の色、具体的には「赤色」及び「青色」の点灯色シール１１１が配置されている。また、この点灯色シール１１１として、反射機能を有する反射シールが貼られることもある。
【０００６】
更に、点灯色シール１１１の近傍にシーソー式のスイッチ１１２が取付けられ、交通誘導員は「赤色」及び「青色」の点灯色シール１１１を視認しながら、足でスイッチ１１２の切り替えを行っている。
【０００７】
このような構成のフットスイッチでは、青色の信号灯に切り替える場合にはスイッチ１１２を青色の点灯色シール１１１側に踏み込むことで青色の信号灯が点灯する。なお、同時に赤色の信号灯が消灯する。
【０００８】
また、赤色の信号灯に切り替える場合にはスイッチ１１２を赤色の点灯色シール１１１側に踏み込むことで赤色の信号灯が点灯する。なお、同時に青色の信号灯が消灯する。
【先行技術文献】
【特許文献】
【０００９】
【特許文献１】特開２０００−２０８８７号公報
【発明の概要】
【発明が解決しようとする課題】
【００１０】
ところで、工事用信号機の前方に立つとドライバーから信号灯が見えにくく、また、信号無視の車両等からできるだけ身の安全を図るために、工事用信号機の後方に交通誘導員が立つことが多く、こうした立ち位置では信号機の点灯色を確認しにくい。
【００１１】
また、青色、あるいは赤色への信号灯の切替えは、昼間であれば青色、あるいは赤色の点灯色シール１１１を容易に視認することができる。更に、反射機能を有する点灯色シール１１１の場合には、周囲が例え薄暗かったとしても、若干の光源があれば充分に視認することが可能である。
しかし、夜間の暗闇の中では青色、あるいは赤色の点灯色シール１１１を視認することが困難である。
【００１２】
本発明は、以上の点に鑑みて創案されたものであって、信号灯の切替え確認が確実に行うことができる信号灯切替装置及びこの信号灯切替装置を備えた信号機を提供することを目的とするものである。
【課題を解決するための手段】
【００１３】
上記の目的を達成するために、本発明に係る信号灯切替装置は、信号機と接続可能に構成されると共に、接続された信号機が有する信号灯の状態を切替える信号灯切替え手段と、該信号灯切替え手段と接続された信号機の信号灯の状態を発光して表示する信号灯状態表示手段とを備える。
【００１４】
また、上記の目的を達成するために、本発明に係る信号機は、信号機本体と、該信号機本体と接続可能に構成されると共に、接続された信号機本体が有する信号灯の状態を切替える信号灯切替え手段と、該信号灯切替え手段と接続された信号機本体の信号灯の状態を発光して表示する信号灯状態表示手段とを有する信号灯切替装置とを備える。
【００１５】
ここで、信号灯状態表示手段が信号灯の状態を発光して表示することによって、夜間の暗闇の中でも信号灯色を確認することができる。なお、信号灯切替え手段で信号灯の状態が切り替えられた場合（例えば、青色点灯から赤色点灯状態に切り替えられた場合）には、信号灯状態表示手段の表示も変化（例えば、青色発光状態から赤色発光状態に変化）することとなる。
【００１６】
また、信号灯状態表示手段が、信号灯切替え手段で選択してＯＮの状態とした信号灯と同一色を発光すべく構成された場合には、信号灯状態表示手段の表示を一見するのみで信号灯を確認し易い。
即ち、「赤色」や「青色」といった文字情報で信号灯の状態を表示し、信号灯の状態を知覚的に確認する場合よりも、信号灯状態表示手段が信号灯と同一色を発光すべく構成することで、信号灯の状態を視覚的に理解せしめた方が、より一層充分に信号灯の状態を確認し易くなる。
【００１７】
更に、信号灯状態表示手段がＬＥＤ素子を有して構成された場合には、小さな光源での確実な確認が行えると共に、バッテリーによる消費電力を極力抑えることができる。
【発明の効果】
【００１８】
本発明の信号灯切替装置によれば、信号灯の色の確認を確実に行うことが可能となる。また、本発明の信号機によれば信号灯切替装置での信号灯の色の確認を確実に行うことが可能となる。
【図面の簡単な説明】
【００１９】
【図１】本発明を適用した信号灯切替装置の一例を説明するための立体模式図である。
【図２】本発明を適用した信号灯切替装置の一例を説明するための電気回路図を示す。
【図３】本発明を適用した信号機の一例を説明するための立体模式図である。
【図４】従来の工事用信号機の一例を説明するための模式図である。
【図５】従来の信号灯切替装置の一例を説明するための模式図である。
【発明を実施するための形態】
【００２０】
以下、本発明の実施の形態を図面を参酌しながら説明し、本発明の理解に供する。
【００２１】
＜第1の実施の形態＞
図１は本発明を適用した信号灯切替装置の一例を説明するための立体模式図、図２は本発明を適用した信号灯切替装置の一例を説明するための電気回路図を示す。
【００２２】
ここで示す信号灯切替装置１は、ケース本体２と、このケース本体２に設けられたシーソー式のペダルスイッチ３と、信号機（図示せず。）に接続される信号機接続用コネクター４とから構成されている。また、信号機接続用コネクター４は、所定長さの電気コード１４の先端に挿し込みプラグ１５が取付けられている。
【００２３】
ここで、ペダルスイッチ３は、図面左側を踏み込むと信号機の信号灯を青色に切り替え、図面右側を踏み込むと信号機の信号灯を赤色に切り替える様に構成されている。
【００２４】
また、ケース本体２の上面には、シーソー式のペダルスイッチ３の青色信号灯への切替え側（図面左側）に青色の表示板５が配置されている。また、シーソー式のペダルスイッチ３の赤色信号灯への切替え側（図面右側）に赤色の表示板５が配置されている。
【００２５】
更に、青色の表示板５には反射シール（図示せず。）が貼り付けられており、若干の光源があれば反射シールが照らされて青色が容易に確認できる構成とされている。同様に、赤色の表示板５にも反射シール（図示せず）が貼り付けられており、若干の光源があれば反射シールが照らされて赤色が容易に確認できる構成とされている。
【００２６】
このように、青色信号灯への切替え側に青色の表示板５を配置すると共に、赤色信号灯への切替え側に赤色の表示板５を配置することで、ペダルスイッチ３を踏み込んだ際に、青色信号若しくは赤色信号のいずれに切替えがなされるかを容易に把握することができる。
即ち、左側に表示板（青色）が配置されているために、ペダルスイッチ３の左側を踏み込んだ際に信号灯が青色に切り替わることが理解でき、同様に、右側に表示板（赤色）が配置されているために、ペダルスイッチ３の右側を踏み込んだ際に信号灯が赤色に切り替わることが理解できる。
【００２７】
また、ケース本体２の上面には点灯確認用表示部６が配置されている。この点灯確認用表示部６は透明状の表示窓７内に赤色ＬＥＤ及び青色ＬＥＤ（図示せず。）が収納されている。
【００２８】
ここで、青色信号の点灯時には青色ＬＥＤが発光し、赤色信号の点灯時には赤色のＬＥＤが発光する様に構成されている。
即ち、ペダルスイッチ３の左側を踏み込んで、信号表示を赤色から青色に変化させた際には、赤色ＬＥＤが消えると共に青色ＬＥＤが発光することとなる。一方、ペダルスイッチ３の右側を踏み込んで、信号表示を青色から赤色に変化させた際には、青色ＬＥＤが消えると共に赤色ＬＥＤが発光することとなる。
【００２９】
ところで、青色ＬＥＤの点灯及び消灯、赤色ＬＥＤの点灯及び消灯は、信号灯切替装置１が有する図２に示す回路で実現している。
具体的な回路構成は、図２に示すように、その一端が１２Ｖの電源に接続された抵抗Ｒ１及び抵抗Ｒ２を有し、抵抗Ｒ１の他端には赤色用スイッチ１０が接続され、抵抗Ｒ２の他端には青色用スイッチ１０Ａが接続されている。
【００３０】
また、抵抗Ｒ１の他端には、赤色用スイッチ１０のみならず、抵抗Ｒ３が接続されている。更に、抵抗Ｒ３の抵抗Ｒ１とは逆側に青色ＬＥＤ１１が接続され、青色ＬＥＤ１１の他端は電源と接続されている。
【００３１】
また、抵抗Ｒ２の他端には、青色用スイッチ１０Ａのみならず、抵抗Ｒ４が接続されている。更に、抵抗Ｒ４の抵抗Ｒ２とは逆側に赤色ＬＥＤ１２が接続され、赤色ＬＥＤ１２の他端は電源と接続されている。
【００３２】
このような構成の電気回路において、赤色用スイッチ１０がＯＮの状態で、青色用スイッチ１０ＡがＯＦＦの状態の場合（図２に示す状態の場合）、図中Ａ矢印方向に流れた電流は、赤色用スイッチ１０側へ流れることとなる。なお、抵抗Ｒ３の抵抗値に起因して青色ＬＥＤ１１には電流が流れず、青色ＬＥＤ１１は点灯しない。
【００３３】
また、図中Ｂ矢印方向に流れた電流（微弱電流）は、青色用スイッチ１０Ａが遮断されていることに起因して、赤色ＬＥＤ１２側に流れることとなり、赤色ＬＥＤ１２が点灯することとなる。
【００３４】
一方で、青色用スイッチ１０ＡがＯＮの状態で、赤色用スイッチ１０がＯＦＦの状態の場合（図示せず。）、電流は青色スイッチ１０Ａ側へ流れることとなる。なお、抵抗Ｒ４の抵抗値に起因して赤色ＬＥＤ１２には電流が流れず、赤色ＬＥＤ１２は点灯しない。
【００３５】
また、赤色用スイッチ１０が遮断されていることに起因して、微弱電流が青色ＬＥＤ１１側に流れることとなり、青色ＬＥＤ１１が点灯することとなる。
【００３６】
本実施例の信号灯切替装置１では、シーソー式のペダルスイッチ３を青色の表示板５側（本実施例では左側）へ踏み込んだ瞬間に、信号機の青色信号灯（図示せず。）が点灯するのであるが、同時に、青色用スイッチ１０ＡをＯＮの状態とすると共に赤色用スイッチ１０をＯＦＦの状態とすべく構成されている。
【００３７】
即ち、信号機の青色信号灯が点灯すると同時に、青色ＬＥＤ１１を発光させることによって、青色信号灯の点灯を視認可能としているのである。
【００３８】
一方で、シーソー式のペダルスイッチ３を赤色の表示板５側（本実施例では右側）へ踏み込んだ瞬間に、信号機の赤色信号灯（図示せず。）が点灯するのであるが、同時に、赤色用スイッチ１０をＯＮの状態とすると共に青色用スイッチ１０ＡをＯＦＦの状態とすべく構成されている。
【００３９】
即ち、信号機の赤色信号灯が点灯すると同時に、赤色ＬＥＤ１２を発光させることによって、赤色信号灯の点灯を視認可能としているのである。
【００４０】
なお、本実施例では、青色ＬＥＤの点灯及び消灯、赤色ＬＥＤの点灯及び消灯を実現する回路構成として、図２に示す電気回路を例に挙げて説明を行っているが、必ずしも図２に示す電気回路に限定されるものではなく、信号機の信号灯を切り替えるタイミングで青色ＬＥＤ及び赤色ＬＥＤの点灯と消灯が制御できれば充分であり、こうした制御が実現できるのであれば、いかなる電気回路であっても良い。
【００４１】
また、本実施例では、信号灯色の表示手段としてＬＥＤを使用する場合を例に挙げて説明を行っているが、必ずしもＬＥＤを使用する必要性はない。例えば、赤色、あるいは青色に着色された電球であっても構わないが、小さな光源で視認性に優れ、かつ耐用年数が長く、消費電力の少ないＬＥＤを使用することが望ましい。
【００４２】
また、本実施例では、スイッチ本体の上面に、赤色及び青色の表示板を配置する場合を例に挙げて説明を行っているが、必ずしも表示板を設ける必要性はない。例えば、ペダルスイッチ自体に着色しても良く、ペダルスイッチの踏み込み方向と信号灯の色との対応関係が理解できるのであれば、いかなる構成であっても良い。
【００４３】
以上の構成よりなる本発明の信号灯切替装置では、シーソー式のペダルスイッチで青色信号灯を点灯させると同時に青色ＬＥＤが発光し、赤色信号灯を点灯させると同時に赤色ＬＥＤが発光するため、ＬＥＤの発光色を確認することで、信号灯の点灯色を確実に把握することが可能となる。
【００４４】
＜第２の実施の形態＞
図３は本発明を適用した信号機の一例を説明するための立体模式図である。
【００４５】
ここで示す信号機は、赤色信号灯２１、青色信号灯２１Ａが配置された信号機本体２２と、この信号機本体２２に接続された信号灯切替装置１で構成されている。
【００４６】
ここで、信号機本体２２は、道路上に設置される台座２３上に支柱２４が立設され、この支柱２４上に赤色信号灯２１、青色信号灯２１Ａが配置された信号機本体２２が取付けられている。
【００４７】
また、信号機本体２２内には１２Ｖ用のバッテリー（図示せず。）及び信号回路（図示せず。）が収納されると共に、信号灯器の背面側下部には接続用端子２６が配置されている。
【００４８】
なお、信号灯切替装置１は、上記した第１の実施の形態と同様に構成されており、挿し込みプラグ１５を接続用端子２６に挿し込むことで、信号切替装置１からの操作で信号灯の切替えを行うことができる様に構成されている。
【００４９】
以上の構成よりなる本発明の信号機では、シーソー式切替えペダルで青色信号灯を点灯させると同時に青色ＬＥＤが発光し、赤色信号灯を点灯させると同時に赤色ＬＥＤが発光するため、ＬＥＤの発光色を確認することで、信号灯の点灯色を確実に把握することが可能となる。
【符号の説明】
【００５０】
１          信号灯切替装置
２          ケース本体
３          ペダルスイッチ
４          信号機接続用コネクター
５          表示板
６          点灯確認用表示部
７          表示窓
１０        赤色用スイッチ
１０Ａ      青色用スイッチ
１１        青色ＬＥＤ
１２        赤色ＬＥＤ
１４        電気コード
１５        プラグ
２１        赤色信号灯
２１Ａ      青色信号灯
２２        信号機本体
２３        台座
２４        支柱
２６        接続用端子
【図１】
2013054484.tif 000003
【図２】
2013054484.tif 000004
【図３】
2013054484.tif 000005
【図４】
2013054484.tif 000006
【図５】
2013054484.tif 000007